Podtech/llm-jp-corpus-v4-ja_patent huggingface dataset:
(57)【要約】      （修正有）【課題】アーチ型支柱のトンネル栽培作業の中で、長尺ビニールシートの開閉は意外と時間と手間がかかり、中腰し作業の為疲れること、また夏場の干ばつや苗の植え替えなど水が必要になることを解決できる雨水集水付き被覆開閉具の提供。【解決手段】上面には雨水を集める雨水溝３があり、長手方向両端部近くに杭穴があり、その穴に通す固定杭がある。雨水溝３内にも溝が有りその溝に押し込む部材がある。長手方向両端部一方に上面突起部が、もう一方には下面突起部があり、ビニールシートに降った雨水を溝に集め、地中に設置したタンクに誘導する。【選択図】図２
2012143222.tif 000002
【特許請求の範囲】
【請求項１】
棒状を成し上面に溝があり、その溝内にも溝があり、その溝にはめ込む部材がある、上面から下面に穴が貫通され、その穴に通す杭がある、長手方向両端部一方は、上面に突起部があり、もう一方は下面に突起部がある、両突起部を貫通する棒を有する、雨水集水付き被覆開閉具。
【請求項２】
棒状を成し上面に２本の溝があり、一方にはその溝にはめ込む部材がある、上面から下面に穴が貫通され、その穴に通す杭がある、長手方向両端部一方は上面に突起部があり，もう一方は下面に突起部がある、両突起部を貫通する棒を有する、雨水集水付き被覆開閉具。
【請求項３】
棒状を成し上面に溝があり、上面から下面に穴が貫通され、その穴に通す杭があり、側面にも溝があり、その溝にはめ込む部材がある、長手方向両端部一方は、上面に突起部があり、もう一方は下面に突起部がある、両突起部を貫通する棒を有する、雨水集水付き被覆開閉具。
【発明の詳細な説明】
【技術分野】
【０００１】  本発明は畑の作物を寒さ、害虫から守る為と、雨水を集め再利用するため、雨水集水付き被覆開閉具に関する物である。
【背景技術】
【０００２】  従来畑に作物を植えたら寒さや害虫から守る為、アーチ型支柱の両端を地面に差して、その上に長尺のビニールシートを被せる。風でビニールシートが飛ばされないようビニールシートの４面の端に土をかけて踏み固めて固定している。又種子を蒔いたり苗を植替えたりした後など水が必要となる。
【発明の概要】
【発明が解決しようとする課題】
【０００３】アーチ型支柱のトンネル栽培作業を開始する時、固定している長尺ビニールシートを外さなければならない、長い距離だと手間と中腰作業の為疲れる。作業終えたら又ビニールシートの端を土をかけ踏み固めて元の状態に戻さなければならない。
夏場畑が干上がっている時、作物に水を与えたり作物の植え付け時など、水が必要になる水源の確保が必須となる。
本発明は以上の問題点を解決する為に成されたものである。
【問題を解決するための手段】
【０００４】  本発明品の上面は雨水を集められるよう全長に渡って雨水溝が有り、その雨水溝側面にも全長に挟み溝がある。その溝に収まる部材もある。長手方向両端部近くに表面から底まで貫通した穴がある。その穴を通る固定杭もある。
本発明品をジョイントして使用する為、本体長手方向の端部から奥行き十数ｃｍ、本体底から高さ３分の１の面積を切り落とし、もう一方の端部も奥行き同ｃｍ、本体上面から高さ３分の２の面積を切り落された形状をなしている。ジョイント用棒もある。
以上の構成より成る雨水集水付き被覆開閉具。
【発明の効果】
【０００５】従来アーチ型支柱トンネル栽培の場合、長尺ビニールシートの踏み固めた土を鍬で取り除いたりして、ビニールシートを捲し上げているが、本発明により作業が省略され、作業も楽に出来る。ビニールシートに降った雨水を集める構造が併設されている為、水の確保も容易である。本発明品の自重と数本の杭でビニールの飛散に対抗する。作業する為長尺ビニールシートを捲し上げる時は、本発明品に長手方向のビニール端を巻き込みながら、たくし上げて開ける。作業が終了したら本発明品に巻きついたビニールを転がしながら地面に降ろし、ジョイント棒を外し換わりに固定杭を差し込む。
【図面の簡単な説明】
【０００６】
【図１】本発明の平面図
【図２】詳細図
【発明を実施するための形態】
【０００７】  以下、本発明の実施の形態を説明する。
（イ）長手方向断面（１）は４角体で棒状を成し、上面（２）に雨水溝（３）が全長にある。上面（２）長手方向両端部（１）近くに上面から底まで貫通した杭穴（４）かある。その杭穴を通る固定杭（５）がある。固定杭の頭は杭穴より大きい円錐形である。
（ロ）雨水溝内に四角形等の多角体の挟み溝（６）が全長にあり、挟み溝に隙間無く納まり、手で摘める取手付き部材（７）がある。
（ハ）長手方向端部（１）から奥行き十数ｃｍ底面から高さ３分の１の面積を切り落とし、もう一方の端部も奥行き同ｃｍ、上面から高さ３分の２の面積で切り落とされている。
（ニ）２本の本体をジョイントする時、２個の杭穴を隙間無く貫通し、本体と同じ高さのジョイント棒（８）が有る、頭は笠釘のように円錐形になっている。
本発明を使用する時は畑の畝の長さ分の本発明品を並べ固定杭で位置を決め、アーチ型支柱（９）を等間隔に本発明に接するよう設置し、長尺ビニールシート（１０）をアーチ型支柱の上に掛ける。ビニールシートの端を雨水溝内の挟み溝（６）にセットし、取手付き部材（７）をはさみ込んで固定する。反対側も同じようにビニールシートの端を挟み溝（６）の上に端部を合わせ、たるみ無く引っ張った状態で取手付き部材（７）をはめ込む。
ビニールシート面に降った雨水や直接雨水溝に流れ込んだ雨水は雨水溝（３）を通って長手方向断面部（１）から落下し、地中に埋めたタンクに直接流れ込む。
作物の手入れ、追肥などのため長手方向ビニールシート（１１）の端を捲し上げて開く時は、固定杭（５）を引き抜き、代わりにジョイント棒（１２）を杭穴に差し込みます。本体の１本目の長さの中間に居て、本発明品をビニールシートに巻き付けながら捲し上げる、作業が終わって閉じる時は本発明を地面に降ろしアーチ型支柱側に寄せて、ジョイント棒（８）を抜いて杭穴に固定杭（５）を差し込んで地面に固定する。
【符号の説明】
【０００８】（１）長手方向断面  （２）上面  （３）雨水溝  （４）杭穴  （５）固定杭  （６）挟み溝  （７）取手付き部材  （８）ジョイント棒  （９）アーチ型支柱  （１０）長尺ビニールシート
【図１】
2012143222.tif 000003
【図２】
2012143222.tif 000004
(57)【要約】【課題】  割卵に、だしと卵白などを混入し、白身の色を出した殺菌液卵の製造方法を提供する。【解決手段】  割卵をストナーで漉し、ビニール袋の中に入れ、更に、だしと卵白などを混入、シーラーで封をし、６０℃前後で９０分位殺菌するが、途中３０分おきに軽く混ぜた後、最後に殺菌終了後の暖かい商品を強く混ぜ、次にチラー水に入れて冷やし、ダンボールに入れて冷凍保存するのを特徴とする白身の色を出した殺菌液卵製造方法である。【選択図】図１
2012143224.tif 000002
【特許請求の範囲】
【請求項１】
割卵をストナーで漉し、ビニール袋の中に入れ、更に、だしと卵白などを混入、シーラーで封をし、６０℃前後で９０分位殺菌するが、途中３０分おきに軽く混ぜた後、最後に殺菌終了後の暖かい商品を強く混合し、次にチラー水に入れて冷やし、ダンボールに入れて冷凍保存するのを特徴とする白身の色を出した殺菌液卵の製造方法。
【発明の詳細な説明】
【技術分野】
【０００１】  殺菌液卵の製造方法に関する。
【背景技術】
【０００２】  液卵白の加工法や（例えば特許文献１）卵白模様を形成させる方法（例えば特許文献２）などが提供されている。
【先行技術文献】
【特許文献】
【０００３】
【特許文献１】特公２００９−２７３４３０
【特許文献２】特公２００１−１７８４１８
【発明の概要】
【発明が解決しようとする課題】
【０００４】  しかし、固まり易い割卵の性質上、温度と加熱時間などの条件によって、卵白色が旨く出せないという問題点があった。
本発明は、これらの問題点を解決するためになされたものである。
【課題を解決するための手段】
【０００５】  割卵をストナーで漉し、ビニール袋の中に入れる。更に、だしと卵白などを混入し、シーラーで封をする。６０℃前後で約９０分殺菌するが、途中３０分位置きに軽く混ぜた後、最後に殺菌終了後の暖かい商品を強く混合する。次にチラー水に入れて冷やし、ダンボールに入れて冷凍保存するのを特徴とする白身の色を出した殺菌液卵の製造方法である。
【発明の効果】
【０００６】  本発明によって、澱粉を使用しないで焼成できるほか．商品の離水が少なく、殺菌効果が高い。
【図面の簡単な説明】
【０００７】
【図１】本発明の工程を示すフローチャート図である。
【発明を実施するための最良の形態】
【０００８】  割卵し殻が入らないようストナーで漉し、ビニール袋の中に入れ、特製のだしと卵白などを混入した後、シーラーで封をする。次に６０℃前後で９０分位かけて殺菌するが、途中約３０分置きに軽く混ぜる。最後に、殺菌終了後の暖かい商品を、強く混ぜ合わせる。この後、チラー水に入れて冷却するのを特徴とする白身の色を出した殺菌液卵の製造方法である。
この製法によって、
※澱粉を使わないで、焼成出来る。
※焼成の時に離水が少なく、誰でも焼成出来る。
※殺菌効果が高い。
※白身の色を強調した商品に仕上がる。
※通常の液卵と変わらず冷凍にできる。【０００９】  本発明は、設備も極力抑えられ、シーラー機、ボイル用加熱殺菌機、チラー機に冷凍庫など既存の機械を利用しながら、消費者に喜ばれる商品を提供できる。
【図１】
2012143224.tif 000003
(57)【要約】【課題】  本発明は道路上の雨水等を効率よく側溝内に排出する機能を有し、又道路上を歩行する人間の安全を最優先し考案された水抜き金具である。ここに機能・安全・安心を共有した水抜き金具を提供する。【解決手段】  一般道路上に設けられた側溝上部に掛けられる側溝蓋に組み込まれた排水機能を有した水抜き金具である。本水抜き金具は外部補強金具と内部排水部天然石等、又それなりの排水効果を有する砕石類に、夜間の安全性を考慮し発光剤を混入して形成されている。水抜き金具の内部排水部材が万が一破損した場合、交換できるように同一部材にて成形し確保しておく。【選択図】図１
2012202199.tif 000002
【特許請求の範囲】
【請求項１】
一般道路に設けられた側溝上部に掛けられる側溝蓋に組み込まれた排水機能を有した水抜き金具である。
【請求項２】
本水抜き金具は外部補強金具と内部排水部材にて形成されている。
【請求項３】
本水抜き金具の内部排水部材は天然石等、又それなりの排水効果を有する砕石類に、夜間の安全性を考慮して発光材を混入して形成されている。
【請求項４】
水抜き金具の内部排水部材が万が一破損した場合、交換補充出来る様に保有し確保しておく。
【発明の詳細な説明】
【技術分野】
【０００１】本発明は道路上を歩行する人間の安全を最優先して考案された水抜き金具である。
【背景技術】
【０００２】従来使用設置されている水抜き金具は、道路上の雨水などの排水を効率よくするため、表面の開口部が広く大きいため危険性が指摘され改良が求められていた。
【発明の開示】
【発明が解決しようとする課題】
【０００３】そのため次の様な問題点が指摘されていた。
（イ）道路を歩行する女性のハイヒールのかかと部分が水抜き金具の開口部に挟まり、転ぶなどの危険性がある。又老人や目の不自由な人等の杖の先端部が水抜き金具の開口部に挟まり、転倒する等の事例が多く聞かれる。
（ロ）過去に設置されて以来長年にわたり使用された水抜き金具の中央部分が腐食し大きな穴となり、車椅子の車輪が挟まり動かなくなった事例も指摘されている。
【課題を解決するための手段】
【０００４】そのため今まで色々な水抜き金具が考案されているが、それぞれ一長一短があり目詰まり等が生じて排水機能も又歩行者の安全面も解決されていない。
【発明の効果】
【０００５】今回の発明により今までの不具合が解消され、側溝蓋の表面が平らで凹凸がなくなり、バリアフリーの面でも安全である。又排水効果もそれなりに機能が発揮できる。夜間は車等のライトの光により中央排水部材が発光して歩行者の安全性も確保できる。
【発明を実施するための最良の形態】
【０００６】以下、本発明の形態を説明する。
（イ）本発明は水抜き金具として一体的なものであるが、外枠は金属製にて防錆加工された物（１）の上部開口部（５）に天然石又は各種排水機能を有した砕石に発光剤を混入し、固定用金属メッシュに接着剤を混入して形成された固形排水部材（２）を挿入して水抜き金具の一体化を形成する。
（ロ）（１）の内枠中間部に設けられた４本の横棒（４）は、固形排水部材（２）の受け軸となる。又その外側に突出している部分（５）は、コンクリート側溝蓋の形成上のアンカー材の役目となる。
（ハ）固形排水部材（２）は、浸透性を有する強度な物質で、発光剤・固定用接着剤、又はばらけ防止用ステンレス製のメッシュ（３）を挿入して形成する。
（ニ）コンクリート製側溝蓋を成形する際は、水抜き金具（１）を成型用型枠に装着し、補強鉄筋と生コンクリートを混入することにより一体化したコンクリート製水抜き金具付き側溝蓋となる。
本発明は以上の構成になっている。
本発明を使用する時は、水抜き金具を装着した側溝蓋を固形排水部材（２）が上部表面になる様に敷設する。
【図面の簡単な説明】
【０００７】
【図１】  本発明の斜視図。
【図２】  本発明の正面図。背面図は同一のため省略する。
【図３】  本発明の平面図。
【図４】  本発明の右側面図。左側面図は同一のため省略する。
【図５】  本発明の底面図。
【図６】  補強金具の斜視図。
【図７】  補強金具の正面図。背面図は同一のため省略する。
【図８】  補強金具の平面図。底面図は同一のため省略する。
【図９】  補強金具の右側面図。左側面図は同一のため省略する。
【図１０】  排水部材の斜視図。
【図１１】  排水部材の正面図。背面図は同一のため省略する。
【図１２】  排水部材の平面図。底面図は同一のため省略する。
【図１３】  排水部材の右側面図。左側面図は同一のため省略する。
【図１４】  排水部材の分解図。
【図１５】  本発明の分解図。
【図１６】  Ａ−Ａ断面図。
【図１７】  本発明の組み込み状態を示す斜視図。
【図１８】  本発明の組み込み状態を示す平面図。
【図１９】  本発明の組み込み状態を示す底面図。
【図２０】  ａ−ａ断面図。
【図２１】  本発明の使用状態を示す斜視図。
【符号の説明】
【０００８】１  補強金具
２  排水部材
３  固定用メッシュ
４  排水部材受け軸
５  固定アンカー
【図１】
2012202199.tif 000003
【図２】
2012202199.tif 000004
【図３】
2012202199.tif 000005
【図４】
2012202199.tif 000006
【図５】
2012202199.tif 000007
【図６】
2012202199.tif 000008
【図７】
2012202199.tif 000009
【図８】
2012202199.tif 000010
【図９】
2012202199.tif 000011
【図１０】
2012202199.tif 000012
【図１１】
2012202199.tif 000013
【図１２】
2012202199.tif 000014
【図１３】
2012202199.tif 000015
【図１４】
2012202199.tif 000016
【図１５】
2012202199.tif 000017
【図１６】
2012202199.tif 000018
【図１７】
2012202199.tif 000019
【図１８】
2012202199.tif 000020
【図１９】
2012202199.tif 000021
【図２０】
2012202199.tif 000022
【図２１】
2012202199.tif 000023
(57)【要約】      （修正有）【課題】今までは廃却されてきた塩分濃度の濃い液体分を回収し、シャーベットアイス製造の際の原水として利用する。【解決手段】シャーベットアイス貯氷タンク１に溜まったシャーベットアイスをシャーベットアイス投入ポンプ３で脱水タンク４に送り込み、脱水シャーベット５と冷液体６に分離するとともに、分離された塩分濃度の濃い冷液体６を回収し、水で希釈することで塩分濃度の調整を行い、シャーベットアイス製造のための原水として使用するようにした。【選択図】図１
2012202593.tif 000002
【特許請求の範囲】
【請求項１】
シャーベットアイス貯氷タンクに溜まったシャーベットアイスをシャーベットアイス投入ポンプで脱水タンクに送り込み、脱水シャーベットと冷液体に分離するとともに、分離された塩分濃度の濃い冷液体を回収し、水で希釈することで塩分濃度の調整を行い、シャーベットアイス製造のための原水として使用するようにしたシャーベットアイスの塩水リサイクルシステム。
【請求項２】
上記分離された塩分濃度の濃い冷液体を塩水調整タンクに回収し、水道水で希釈するとともに、上記塩水調整タンク内の塩分濃度を塩分濃度センサーで検出し、規定値になったら水道水の供給を停止し、塩水供給ポンプで上記塩水調整タンク内の塩水を上記シャーベットアイス貯氷タンクに供給するようにしたことを特徴とする請求項１に記載のシャーベットアイスの塩水リサイクルシステム。
【発明の詳細な説明】
【技術分野】
【０００１】
本発明は、塩水混合シャーベットアイスの製造において、今までは廃却されてきた塩分濃度の濃い水分を回収し、シャーベットアイス製造の際の原水として利用するようにしたシャーベットアイスの塩水リサイクルシステムに関するものである。
【背景技術】
【０００２】
シャーベットアイスは、氷量（ＩＰＦ:Ｉｃｅ Ｐａｃｋｉｎｇ Ｆａｃｔｏｒともいう）を確保することで冷熱量を確保し、氷点下の温度を微妙に調整することが出来るので、魚類の粗熱採りや締めに利用されている。
この際の氷量はおよそ３０％程度で運用されることが多い。氷量とはシャーベットの質量のうちの純粋に氷分の質量の比である。その氷量をあげてたとえば８０％以上とすれば、魚類の配送の際に発泡スチロールに入れる氷、すなわち送り氷として使用できる。このときのシャーベットアイスは柔らかいため魚体を傷めることなく、また微妙な温度調整も可能なため、鮮度を保ち品質を落とさず配送が可能である。
【０００３】
塩分混合のシャーベットアイスの製造装置については、例えば特開２００８−２８１２９４号公報（特許文献１）で公知である。
塩分混合のシャーベットアイスは塩分濃度が２．０％〜３．５％程度の海水を冷却し製造された流動性のある氷であり、氷量は３０％程度で運用することが多い。初期の塩分濃度は２．０％〜３．５％の塩分濃度だが、氷量が３０％のシャーベットアイスを製造したとき、氷分は水のみが氷になっているため、海水部分の塩分濃度は、２．９％〜５．０％と濃い塩分濃度になっている。海水が無いときは、水道水に塩を溶解し、海水相当の塩分濃度を持つ塩水を使用している。シャーベットアイスを鮮魚の送り用のシャーベットアイスとして使用するとき、通常はシャーベットアイスの氷分のみを取り出し使用することが多い。
【０００４】
その場合は、シャーベットアイス投入ポンプでシャーベットアイスを脱水シャーベットと水分を分離する脱水タンクに送り込み分離する。脱水シャーベットは鮮魚の送り用として使用するが、分離された水分は塩分濃度も濃くなっており、荷捌き所の洗い等に使用され、そのまま廃棄されている場合が多い。
【先行技術文献】
【特許文献】
【０００５】
【特許文献１】特開２００８−２８１２９４号公報 （図１）
【発明の概要】
【発明が解決しようとする課題】
【０００６】
これまで脱水シャーベットは、シャーベットアイス貯氷タンクからシャーベットアイス投入ポンプで脱水タンクに投入し、脱水タンクで脱水シャーベットと冷塩水分を分離していたが、脱水タンクで分離された冷塩水は、荷捌き所の洗いなどに使用されそのまま廃棄処理されることが多かった。脱水タンクで分離排出される冷塩水は、冷却されているうえ高濃度な塩分濃度であり、廃棄すると冷却した分の冷熱量と水及び塩を廃棄することと同意であるため、無駄が多かった。
【０００７】
本発明は、上記のような課題を解決するためになされたものであり、今までは廃却されてきた塩分濃度の濃い液体分を回収し、シャーベットアイス製造の際の原水として利用することを目的としている。
【課題を解決するための手段】
【０００８】
シャーベットアイス貯氷タンクに溜まったシャーベットアイスをシャーベットアイス投入ポンプで脱水タンクに送り込み、脱水シャーベットと冷液体に分離するとともに、分離された塩分濃度の濃い冷液体を回収し、水で希釈することで塩分濃度の調整を行い、シャーベットアイス製造のための原水として使用するようにした。
【発明の効果】
【０００９】
シャーベットアイスから氷分のみを取り除かれた冷液体を回収することで、冷却熱が再利用でき、また、水や塩を再利用することができる。
【図面の簡単な説明】
【００１０】
【図１】本発明の実施の形態１に係る装置を示す図。
【発明を実施するための形態】
【００１１】
図１に実施の形態１の構成図を示す。
構成は以下のとおりである。シャーベットアイス貯氷タンク１にシャーベットアイスを製造する原水を貯める。原水は、海水を使用する。シャーベットアイス製氷ユニット２は、シャーベットアイス貯氷タンク１内の海水を循環させ、タンク１内の海水を徐々に冷却し氷分を増していく。氷量が３０％程度になると氷の製造を止め、シャーベットアイスは、シャーベットアイス貯氷タンク１の中に貯氷される。
【００１２】
鮮魚の輸送用の冷却材として使用する脱水シャーベットが必要になったとき、シャーベットアイスは、シャーベットアイス投入ポンプ３で脱水タンク４に投入され、脱水タンク４の中で脱水シャーベット５と冷海水６に分離される。脱水シャーベット５は鮮魚の輸送用冷却材として使用し、冷海水６の一部は三方弁７を介して従来どおり荷捌き所８で使用され、残りは塩水調整タンク９に回収する。塩水調整タンク９に回収した冷海水は、冷却されており、且つ、高濃度な塩分濃度の塩水になっているため、水道水１０で希釈する。
【００１３】
塩水調整タンク９内の塩水の塩分濃度が初期の塩分濃度と同じ濃度になる様、塩分濃度センサー１１で監視し、規定値（塩分濃度が同じ）になったらバルブ１２を閉じて水道水１０の給水を止める。塩水調整タンク９内の塩水の塩分濃度の調整が完了したとき、塩水供給ポンプ１３でシャーベットアイス貯氷タンク１に移送し、シャーベットアイスの製造原水として使用する。これにより、冷却熱及び水道水、塩の再利用が可能になる。
なお、図１に示す実施の形態１の説明では、シャーベットアイスの製造原水として海水を使用した例を説明したが、水道水に塩を混ぜて海水と等濃度の塩水を作り、製造原水として使用する場合も同様である。
【符号の説明】
【００１４】
１  貯氷タンク、  ２  製氷ユニット、  ３  シャーベットアイス投入ポンプ、  ４  脱水タンク、  ５  脱水シャーベット、  ６  冷海水、  ９  塩水調整タンク、  １０  水道水、  １１  塩分濃度センサー、  １３  塩水供給ポンプ。
【図１】
2012202593.tif 000003
(57)【要約】      （修正有）【課題】河川や水路等で小規模な水力発電をしようとするとき、通常の流速では必要な回転数が得られないことが多い。必要な発電機回転数を簡易に得るための装置を提供する。【解決手段】装置内で水路面積を減少させることによって得る水流増速装置１と、それによって増速された水流によって回転する水車２と、水車軸からの出力回転数を歯車列によって増加させる回転数増加装置３と、これら２種類の増速装置によって増速された回転入力で回転する発電機４とで一体として構成された水力発電装置。水流増速装置は流入部に対し水路断面積を減少させることによって得るが、流出部周囲からの水圧によりその効果が減ぜられる。流出部断面積を増速部に比べて大きくすることによって水圧を減ずることができ、断面積を変えない場合に比べて増速部の水流速度をより大きくすることができる。【選択図】図３
2012202397.tif 000002
【特許請求の範囲】
【請求項１】
水流の速度エネルギーを利用して発電する水力発電装置で、発電に必要な回転数を得るために、
水流速度を増加させる前記水流増速装置と、
水車の回転を機械的に増速させる前記歯車列と、
を持つ水力発電装置。
【請求項２】
前記水力発電装置で、当該高速水流部の水路断面積を取水部に比べて減ずるとともに、流出部の水路断面積を当該部に比べて大きくした水流増速装置。
【発明の詳細な説明】
【技術分野】
【０００１】  本発明は、増速機を持った水力発電装置に関する。
【発明の概要】
【発明が解決しようとする課題】
【０００２】  発電機で発電するためには一定の回転数が必要であるが、河川や水路等で小規模な水力発電をしようとするとき、通常の流速では必要な回転数が得られないことが多い。一般的には高い位置から導水して落差を使って流速を増加させたり、水車の回転出力軸に増速機をつないで必要な回転数を得たりしているが、水路工事が必要であったり、強力な増速をするために大きな装置を要したりする。本発明は、必要な流速を簡易に得るための装置を提供する。
【課題を解決するための手段】
【０００３】  本発明の水力発電装置は、水流増速装置と軸回転数増速装置を組み合わせることにより小型で簡易に必要な発電機回転数を得ようとするものである。本発明は、装置内で水路面積を減少させることによって得る水流増速装置と、それによって増速された水流によって回転する水車と、水車軸からの出力回転数を歯車列によって増加させる回転数増加装置と、この増速装置によって増速された回転入力で回転する発電機とを一体として構成された水力発電装置である。
なお、水流増速は水路断面を狭めることによって得るが、流出部周囲からの水圧によりその効果が減ぜられる。流出部の断面積を増速部に比べて大きくすることによって水圧を減ずることができ、断面積を変えない場合に比べて増速部の水流速度を大きくすることができる。
【発明の効果】
【０００４】  本発明によれば、流速があまり大きくない水路でも大規模な水路工事などをせず、一体型の発電装置のみで簡易に必要な流速と発電機回転数を得て発電することができる。
【図面の簡単な説明】
【０００５】
【図１】本発明の実施形態に係る水力発電装置を示すブロック図である。
【図２】本発明の実施形態に係る水力発電装置の一例を示す図である。
【図３】本発明の実施形態に係る水力発電装置の他の例を示す図である。
【発明を実施するための形態】
【０００６】  図３により本発明の水力発電装置を説明する。水流が水路断面積を減少させることによって得る水流増速装置１によって増速され水車２を回転させる。水車の回転は水車軸を介して歯車列による回転数増加装置３に伝達され発電に必要な回転数にまで増速される。これら２種類の増速装置によって増速された回転が発電機４に伝達され発電を行う。これらの装置が一体的に組立てられて一つの発電装置として構成される。
水流増速装置は流入部に対し水路断面積を減少させることによって得るが、流出部周囲からの水圧によりその効果が減ぜられる。流出部断面積を増速部に比べて大きくすることによって水圧を減ずることができ、断面積を変えない場合に比べて増速部の水流速度をより大きくすることができる。
【図１】
2012202397.tif 000003
【図２】
2012202397.tif 000004
【図３】
2012202397.tif 000005
(57)【要約】      （修正有）【課題】海では一日約２回の潮汐があり、陸地に落下した水は大部分は川を回帰し海へ放水する。その自然界に存在する現象から、効率よく動力を取り出す。【解決手段】陸地に海の潮汐と連動するプール２を作り、水面の変動をフロート６の浮力と重量により機械的回転運動に変換する。自然降下する水を利用するには、フロートの入った水槽を複数設置し水源の上流から順次給水し、水槽が満水になったら排水バルブにより低い位置にある同様の機関又は水源の下流へ放水する。この時のフロートの上下動を回転運動に変換する。【選択図】図１
2012202400.tif 000002
【特許請求の範囲】
【請求項１】
フロートが水に浮いた時生じる浮力を縦方向の上への動力。フロート自体の重量が下方向への動力。水面の変動によるフロートの上下動を、機械的に回転運動に変換する。
【請求項２】
潮汐利用の場合は、陸地にプールを作りパイプ又は水路で海と直結し、海水面とプールの水面は平衡する。
潮止まり時に回転運動を補助するため、連結した水槽を複数設置し水槽間での水位差の変動によるフロートの変動により回転運動を維持する。
【請求項３】
自然降下する水を利用する場合、一定水量を確保し複数の水槽に順次満配になるように給水し満水になった水槽は順次排水を開始する。排水した水を低い位置に設置した同様の設備に供給すれば階段式に連結できる。
【発明の詳細な説明】
【技術分野】
【００１】  この発明は、水槽内又はプールの水面にフロートを浮かせ、水面の変動によるフロートの上下動を機械的回転運動に変換する。動力はフロートの浮力と重量。フロートの上下動の距離に比例する。
【背景技術】
【００２】  海では一日約２回の潮汐があり、陸地に落下した雨・雪などの大部分は川を回帰して海へ放水します。その自然界に存在する現象から効率よく動力を取り出す。
【発明の概要】
【発明が解決しようとする課題】
【００３】  水力発電ではダムを作り大量の水と高い水圧でタービンを回転させ大出力の発電をしますが、流体から動力を取り出すのはロスが多く莫大な建設費と維持管理に大きなコストがかかります。自然破壊や生態系にも影響があると言われています。自然にあたえる負荷・負担・破壊を最小限にし自然から得る動力を最大限利用する。
【発明を解決させるための手段】
【００４】  潮汐利用の場合は、陸地にプールを作りパイプ又は水路で海と直結し海水面とプールの水面は平衡する。
【００５】  満潮時・干潮時に起こる潮止まりの際に動力を得るには、プール内にフロートを設置した水槽を複数設置し１個は最満潮時の水位に保ち１個は最干潮時の水位に保ち、この２個の水位差により潮止まりの際の動力を確保する。
【００６】  自然降下する水を利用する場合には一定水量を確保し２個のフロートを設置した水槽を並列に設置、片方の水槽が満杯になったらもう片方の水槽へ給水。同時に満杯になった水槽は排水を開始する。給水量と排水量が同じであれば機関は回り続ける。排水した水を低い位置にある同様の機関に送れば階段式に海までつなぐ事もできる。
【発明の効果】
【００７】  今まで見逃していた自然現象から、エネルギーを取り出すことができる。
原子力発電所など海の近くにあり地震にデリケートな施設は、巨大プールに巨大フロートを浮かべフロートの上に原子力発電所を建設すれば免震効果もあり大きな動力も得ることもできる。
【発明を実施するための形態】
【００８】  潮汐利用の場合は、海が近くにあること。
自然降下する水を利用する場合は、常に水が流れている所に近い場所に設置する。図面を参照して説明する。
【００９】  図１、潮汐を動力に変換する機関の工程。２と１０の低部は４より低い位置にあり、１は３より高い位置にある。
１０は地形などにより、パイプにするか水路にするかにより海と２の水位は平衡する。２には６が浮いており、潮汐と連動する。６には７が固定されており、８と交差している、８は７が上に動く又は下に動く時にラチェットギアにより９を一方向に回転させる。７が停止している時は８を介し９は空転する。
【０１０】  １４は潮止まり時の動力確保をするため複数の水槽のうち１本を満潮時の水位に保ち、別の１本は干潮時の水位に保つ。次の満潮時には別の１本は満潮時の水位を保ち次の干潮時には別の１本は干潮時の水位を保つ。複数の水槽はそれぞれ１３で結ばれていて複数の１１の操作により９に回転力をあたえつづける。
【０１１】  図２、自然降下する水を動力に変換する工程。
４からきた水は６が１１の位置にあるＡの水槽に給水し、同時に６が１０の位置にあるＢの水槽の３を解放する。ＡとＢのフロートの位置が逆転したら同時にＡの２を閉じ、Ｂの２を開き、Ａの３を開き、Ｂの３を閉じる。これを繰り返す事で９は回り続ける。
【図面の簡単な説明】
【０１２】
【図１】潮汐を動力に変換する機関の工程図。［符号の説明］１・・・陸地  ２・・・プール  ３・・・最満潮時水位  ４・・・最干潮時水位  ５・・・現水位  ６・・・フロート  ７・・・シャフトギヤ  ８・・・ラチェットギヤボックス  ９・・・回転軸  １０・・・水路又はパイプ  １１・・・開閉バルブ  １２・・・水槽  １３・・・連結パイプ  １４・・・潮止まり時の動力機関
【図２】自然降下する水を動力に変換する機関の工程図。［符号の説明］１・・・水槽  ２・・・給水バルブ  ３・・・排水バルブ  ４・・・上流からの給水  ５・・・下流への排水又は下流にある同機関への給水  ６・・・フロート  ７・・・シャフトギヤ  ８・・・ラチェットギヤボックス  ９・・・回転軸  １０・・・最高水位  １１・・・最低水位
【図１】
2012202400.tif 000003
【図２】
2012202400.tif 000004
(57)【要約】【課題】帯状の突起部を設けた取っ手衛生カバーを提供する。【解決手段】円筒状カバー外面に数本の帯状突起部を設け、円筒状カバーを装着する切り込みを設けたことを特徴とする取っ手衛生カバー。【選択図】図４
2012202205.tif 000002
【特許請求の範囲】
【請求項１】
円筒状カバー外面に数箇所突起部を設け、円筒状カバーを取っ手に装着する切り込みを設けたことを特徴とする取っ手衛生カバー。
【発明の詳細な説明】
【技術分野】
【０００１】本発明は、扉、引き戸の取っ手、及びハンドルの握り部に指との接触面を少なくする帯状突起部を設けた扉などの取っ手に関するものである。
【背景技術】
【０００２】従来、扉及び引き戸のハンドルの握り部に指と接触する面を少なくする取っ手及びハンドルはなかった。
【発明の開示】
【発明が解決しようとする課題】
【０００３】そのために、次のような問題点があった。
（イ）多くの人が利用する病院等の扉、引き戸の取っ手ハンドルは、衛生上問題があった。
本発明は、これらの問題点を解決するためになされたものである。
【課題を解決するための手段】
【０００４】円筒状カバーの外面に、数本の帯状突起部を設け、円筒状カバーを取っ手及びハンドルに装着する切り込みを設けた。以上を特徴とする取っ手衛生カバーである。
【発明の効果】
【０００５】扉の取っ手及びハンドルの握り部と指との接触面が従来より極端に少なくなり大勢の人が利用する施設、病院等大変衛生的で院内感染の予防になる。
【発明を実施するための最良の形態】
【０００６】以下、本発明の実施の形態について説明する。
（イ）円筒状カバー（１）の外面に帯状突起部（２）を設ける。
（ロ）円筒状カバー（１）に一か所切り込み（３）を設ける。
本発明は以上のような構成で、これを使用するときは、円筒状カバー（１）の切り込み（３）を少し開、既存の取っ手及びハンドルに装着する。指との接触する面は帯状突起部（２）の厚みだけで良い。大変衛生てきな取って衛生カバーである。
【実施例１】
【０００７】図（４）に示すように、指と接触する面は厚み（４）部分だけですむ。
大勢の人々が利用する施設では大変衛生的な取っ手衛生カバーである。
【図面の簡単な説明】
【０００８】
【図１】本発明の平面図
【図２】本発明の側面図
【図３】本発明を扉のハンドルに装着した例を示す側面図
【図４】本発明の取っ手衛生カバーの帯状突起部に指が接触してる状態を示した平面図
【符号の説明】
【０００９】１  円筒状カバー
２  帯状突起部
３  切り込み
４  厚み
【図１】
2012202205.tif 000003
【図２】
2012202205.tif 000004
【図３】
2012202205.tif 000005
【図４】
2012202205.tif 000006
(57)【要約】【課題】土のう袋に直接土砂等を入れるのに袋を持つ人とスコップで入れる人、二人で１組の作業し、この作業に人員がとられ他の現場に人の配置が出来なかった。本発明はこれらを解決する為に提供できる。【解決手段】筒状の上部から下部に細くし上部部分を折り曲げ、切込みを入れた容器を土のう袋に中に入れ、土砂等を入れ容器を引き上げれば、従来の土のう袋詰め作業が一人で出来る様にする事が出来る容器。【選択図】図１
2012202204.tif 000002
【特許請求の範囲】
【請求項１】
筒状の容器の上部より下部分に細くし上部部分に折り返しを均等に設け、折り返し部分の両側に切り込みを付けた土のう袋容器。
【発明の詳細な説明】
【技術分野】
【０００１】本発明は土のう袋に土砂等を入れる際に使用する容器に関するものである。
【背景技術】
【０００２】従来緊急性の災害時には多数の人員が狭い場所で土のう袋に土砂等入れる作業をしている。
【先行技術文献】
【０００３】
【発明の概要】
【発明が解決しようとする課題】
【０００４】従って土のう袋に、土砂等入れ作業に袋を持つ人とスコップ等で土砂を入れる人が混み合った場所で、二人１組で上下、左右に別れて作業していた。
本発明は以上の問題点を解決するものである。
【課題を解決するための手段】
【０００５】上記問題点を解決するため本発明は筒状の容器の上部より下部分に細くし上部部分に折り返しを均等に設け、折り返し部分の両側に切り込みを付けた土のう袋容器である。
従って筒状の上部から下部に細くし上部部分両側に切り込みを設けた容器を使用する。
【発明の効果】
【０００６】土のう袋に土砂等を入れるのに１人で作業が出来る様にになり危険性もなく、個人での使用も可能になった。
【図面の簡単な説明】
【０００７】
【図１】本発明の斜視図
【図２】本発明の使用状態を示す斜視図
【発明を実施するための形態】
【０００８】以下、本発明の実施の形態を説明する。
丸形筒状の上部より下部を細くし上部部分に均等に折り返しを付け、折り返し部分両側にヒモ掛け用の切り込みを付ける。
本発明は以上のような構造である。
本発明を使用する時は土のう袋の中に土のう袋容器（１）を入れ、土のう袋を持ち上げ土のう袋のヒモを土のう袋容器（１）の上部にある切り込み箇所にずれ落ちないようにし土砂等を入れ、入れ終わったら土のう袋容器（１）を持ち上げ取り出し、土のう袋のヒモをくくり土のう袋詰め作業は終わる。
【符号の説明】
【０００９】１、土のう袋容器  ２、土のう袋  ３、ヒモ
【図１】
2012202204.tif 000003
【図２】
2012202204.tif 000004
(57)【要約】【課題】鉄筋コンクリートなどの状態で構造物の建築要素として用いられる鋼材の強度が増加できるようにする。【解決手段】まず、ステップＳ１０で、コンクリート中に埋設された鋼材に第１電極を接続する。次に、ステップＳ１０２で、コンクリートに第２電極を接して設ける。以上のように各電極を接続した後、ステップＳ１０３で、鋼材に熱力学的平衡量以上の水素が含まれる状態となる電流を、第１電極を陰極として第１電極および第２電極の間に流す。【選択図】  図１
2012202058.tif 000002
【特許請求の範囲】
【請求項１】
コンクリート中に埋設された鋼材に第１電極を接続する第１ステップと、
前記コンクリートに第２電極を接して設ける第２ステップと、
前記第１電極を陰極として前記第１電極および前記第２電極の間に電流を流して前記鋼材表面において水の電気分解により水素を発生させ、前記鋼材に熱力学的平衡量以上の水素が含まれる状態とする第３ステップと
を備えることを特徴とする鋼材の強度増強方法。
【発明の詳細な説明】
【技術分野】
【０００１】
本発明は、鋼材の水素による脆化を防止して鋼材の強度を増加する方法に関するものである。
【背景技術】
【０００２】
鋼材（鉄鋼）は、鉄骨や鉄筋などとして建築物などの建築要素（固定構造体）の部材として用いられている。この鋼材が、構造体が配置されている環境の影響で発生した水素により脆化して、強度が低下する場合があることが知られている。一方で、熱力学的平衡量以上の可飽和の水素を含む鋼材は、強度が向上することが確認されている（非特許文献１参照）。
【先行技術文献】
【非特許文献】
【０００３】
【非特許文献１】村上  敬宜、「水素脆化メカニズムと水素機器強度設計の考え方」、電力中央研究所材料科学シンポジウム２０１０予稿集、４３−６２頁、２０１０年。
【発明の概要】
【発明が解決しようとする課題】
【０００４】
上述したように、水素を過飽和の状態にすることで、鋼材の水素脆化が抑制され強度が増大することが見いだされているが、例えば、ｂｃｃ結晶構造の金属では、結晶格子内の水素が拡散する速度が大きく、過飽和の状態を保つことは難しい。また、マルテンサイト系の高強度鋼では、常温（２０〜２５℃）では、水素は数日でｍｍオーダーの移動をし、「拡散性水素」として知られるトラップエネルギー準位の小さい成分の水素が、鋼材の内外の出入りを繰り返す。
【０００５】
このため、鋼材を水素が過飽和となる状態に保つことは、容易ではないという問題がある。また、鉄筋コンクリートなど、コンクリート中に埋設されている鋼材においては、上述した鋼材を水素が過飽和となる状態に保つことは特に困難である。このように、従来の技術では、含有する水素を可飽和の状態とすることで、鉄筋コンクリートなどの状態で構造物の建築要素として用いられる鋼材の強度を増加することは、容易ではないという問題があった。
【０００６】
本発明は、以上のような問題点を解消するためになされたものであり、鉄筋コンクリートなどの状態で構造物の建築要素として用いられる鋼材の強度が増加できるようにすることを目的とする。
【課題を解決するための手段】
【０００７】
本発明に係る鋼材の強度増強方法は、コンクリート中に埋設された鋼材に第１電極を接続し、コンクリートに第２電極を接して設け、第１電極を陰極として第１電極および第２電極の間に電流を流して鋼材表面において水の電気分解により水素を発生させ、鋼材に熱力学的平衡量以上の水素が含まれる状態とする。
【発明の効果】
【０００８】
以上説明したように、本発明によれば、鋼材に接続する第１電極を陰極として第１電極および第２電極の間に電流を流すようにしたので、鉄筋コンクリートなどの状態で構造物の建築要素として用いられる鋼材の強度が増加できるようになるという優れた効果が得られる。
【図面の簡単な説明】
【０００９】
【図１】図１は、本発明の実施の形態における鋼材の強度増強方法を説明するためのフローチャートである。
【図２】図２は、実施の形態における鋼材の強度増強方法を実現する装置の構成を示す構成図である。
【発明を実施するための形態】
【００１０】
以下、本発明の実施の形態について図を参照して説明する。図１は、本発明の実施の形態における鋼材の強度増強方法を説明するためのフローチャートである。まず、ステップＳ１０で、コンクリート中に埋設された鋼材に第１電極を接続する。次に、ステップＳ１０２で、コンクリートに第２電極を接して設ける。以上のように各電極を接続した後、ステップＳ１０３で、第１電極を陰極として第１電極および第２電極の間に電流を流し、鋼材表面において水の電気分解により水素を発生させ、鋼材に熱力学的平衡量以上の水素が含まれる状態とする。
【００１１】
コンクリートには水が含まれているため、埋設されている鋼材が陰極側となるように電流を流すことで、鋼材表面において水の電気分解により水素を発生させれば、鋼材表面近傍における水素分圧を高めることができる。これにより、鋼材内部からの水素の放出を抑制し、鋼材内部においては、熱力学的平衡量以上の可飽和の水素が含まれた状態とする。このように、本実施の形態によれば、鋼材中の水素を可飽和とすることができるので、コンクリート中に埋設された鋼材の強度を増加させることができる。
【００１２】
次に、上述した方法を実現する装置について、図２を用いて説明する。図２は、実施の形態における鋼材の強度増強方法を実現する装置の構成を示す構成図である。この装置は、まず、コンクリート２０１中に埋設された鋼材２０２に接続する第１電極２０３を備える。また、コンクリート２０１に接して設けられた第２電極２０４を備える。第２電極２０４は、コンクリート２０１に埋設してもよい。また、第１電極２０３を陰極側として、第１電極２０３と第２電極２０４との間に電流を流す直流電源２０５を備える。
【００１３】
ここで、第１電極２０３は、コンクリート２０１のアルカリ性でマイナス極（陰極）とした時に容易に溶解しないような材料を用いれば好適であり、例えば、炭素から構成すればよい。また、第２電極２０４は、コンクリート２０１のアルカリ性でプラス極とした時に容易に溶解しない材料を用いれば好適であり、例えば、炭素および白金から構成すればよい。
【００１４】
直流電源２０５は、例えば、乾電池から構成すればよい。また、燃料電池および太陽電池であってもよい。また、商用の交流電源を整流して直流とする電源であってもよい。前述したように、鋼材２０２に熱力学的平衡量以上の水素が含まれる状態とするためには、２つの電極間に、例えば１ｍＡ／ｃｍ2の電流を流せばよい。この電流値は、コンクリート２０１の抵抗、および電気分解により発生する水素の量を計算して適宜設計すればよい。
【００１５】
上述した本発明により、コンクリートに埋設されている鋼材（鉄鋼）に、常時水素を供給することができるため、過飽和の状況を保つことができ、鋼材の強度を増加させることができる。なお、本発明は以上に説明した実施の形態に限定されるものではなく、本発明の技術的思想内で、当分野において通常の知識を有する者により、多くの変形および組み合わせが実施可能であることは明白である。
【符号の説明】
【００１６】
２０１…コンクリート、２０２…鋼材、２０３…第１電極、２０４…第２電極、２０５…直流電源。
【図１】
2012202058.tif 000003
【図２】
2012202058.tif 000004
(57)【要約】      （修正有）【課題】シャツの前身頃と後身頃の内側にポケットを設けた場合、ポケットが設けられていることが外部から容易に判別できない隠しポケットを提供する。【解決手段】前身頃１と後身頃２とで構成されるシャツにおいて、前身頃と後身頃との内側に設けられるポケット本体５の固定部４が、前身頃と後身頃との縫い合わせ逢着部３にそって設けられ、ポケット本体に物品を収納した際に、物品の重量によりポケット本体が前身頃と後身頃との外側に露出しないように配置する。【選択図】図１
2012202014.tif 000002
【特許請求の範囲】
【請求項１】
前身頃と後身頃とを縫い合わせて構成されるシャツにおいて、前記前身頃と前記後身頃との内側に設けられるポケット本体の固定部が、前記前身頃と前記後身頃との縫い合わせ逢着部にそって設けられ、前記ポケット本体に物品を収納した際に、前記物品の重量により前記ポケット本体が前記前身頃と前記後身頃との外側に露出しないように配置されることを特徴とする、隠しポケット付きシャツ。
【発明の詳細な説明】
【技術分野】
【０００１】
この発明は、現金やカードなどの貴重品を収納できる隠しポケットが取り付けられた前身頃と後身頃とを縫い合わせて構成されるシャツに関するものである。
【発明の概要】
【発明が解決しようとする課題】
【０００２】
シャツの前身頃と後身頃の内側にポケットを設けた場合、縫い代がシャツ外側から確認できるため、ポケットが設けられていることが外部から容易に判別できた。
【課題を解決するための手段】
【０００３】
前身頃1 と後身頃2 とを縫い合わせて構成されるシャツにおいて、前身頃1 と後身頃2 との内側に設けられるポケット本体5 の固定部4 が、前身頃と後身頃との縫い合わせ逢着部3 にそって設けられ 、ポケット本体5 に物品を収納した際に、物品の重量によりポケット本体が前身頃1 と後身頃2 との外側に露出しないように配置されることを特徴とする。
【発明の効果】
【０００４】
前身頃と後身頃の縫い合わせ逢着部に沿って、ポケットの固定部である縫い代が設けるられている。
【０００５】
上述のように、ポケットの固定部である縫い代を配置すれば、逢着部の縫い代と固定部の縫い代が一体に見える。従ってポケットの固定部が外部からわからないため、ポケットがあることがわからない。
【０００６】
ポケットが設けられていることがわからないため、上記ポケットに海外旅行などの際に貴重品を収納すれば、以下の問題点が解決できる。
（A）貴重品をバッグに収納して外出した場合、盗難や紛失の恐れがある。
（B）暑い地域を旅行する場合は薄手シャツなどの軽装で外出するが、貴重品を収納できるところが少ない。
（C）表から見えているポケットは窃盗やスリの標的になりやすい。
（D）旅行者が腹巻きに貴重品を収納することは有名で、腹巻きを狙った窃盗は多い。
【図面の簡単な説明】
【０００７】
【図１】本発明の一実施例のシャツを示す斜視図である。
【図２】本発明の一実施例のシャツの一部を裏返した状態における斜視図である。
【発明を実施するための形態】
【０００８】
次に本発明の実施形態を図1および図２において説明する。図１および図２に示すように、このTシャツは前身頃1 と後身頃2 とを縫い合わせて構成される横割り仕様・脇縫いTシャツである。左右の脇には縫い合わせにより逢着部（割れ目）3 が露出している。一方の逢着部3 の内側には、隠しポケット5 が配置されている。隠しポケット5 の固定部4 は逢着部に沿って配置されているため、外側から固定部4 の縫い代が見えない状態である。この隠しポケット5 は、物品を収納した際に、物品の重量によりポケットの一部がTシャツの外側に露出しない位置6 に設けられている。
【０００９】
上述した隠しポケットは、物品収納時にTシャツの裾から露出するものでなければ、形状が限定されるものではない。物品収納時に物品が飛び出すことを防止するために、開口部に開閉自在なチャックなど設けられるものであってもよい。
【符号の説明】
【００１０】
1 シャツ前身頃（シャツの前面生地）
2 シャツ後身頃（シャツの後面生地）
3 縫い合わせ逢着部
4 ポケットの固定部
5 ポケット
6 ポケットに物品を収納した際に、物品の重量によりポケット端部が前身頃と後身頃との外側に露出しない高さ
【図１】
2012202014.tif 000003
【図２】
2012202014.tif 000004